(57)【特許請求の範囲】
【請求項１】
被取付面に沿って取付けられる化粧材と、前記被取付面上の複数の位置にそれぞれ固定され、前記化粧材を保持する複数の保持用金具とを備える化粧材ユニットであって、
上記化粧材は、特定方向に延びる化粧材本体と、この化粧材本体の裏面からそれぞれ突出し、前記特定方向と直交する化粧材本体の幅方向に間隔をおいて並び、かつ当該特定方向に沿って延びる一対の外側突条と、これらの外側突条同士の間の位置で前記化粧材本体の裏面から突出し、前記特定方向に沿って延びる中間突条とを有し、
前記複数の保持用金具は、第１保持用金具と第２保持用金具とを含み、前記特定方向に並ぶ複数の位置にそれぞれ配設されるものであり、
前記第１保持用金具は、前記被取付面上に固定される基板と、この基板から前記被取付面と反対の側にそれぞれ突出し、前記被取付面から離れる向きへの前記化粧材の移動を阻むように前記各外側突条の内側面と係合することが可能な形状を有し、かつ、前記化粧材本体の幅方向に変位するように撓み変形可能な外側係止部と、前記基板から前記被取付面と反対の側に突出し、前記被取付面から離れる向きへの前記化粧材の移動を阻むように前記中間突条の両側面のうちの一方の第１側面と係合することが可能な形状を有し、かつ、前記化粧材本体の幅方向に変位するように撓み変形可能な第１中間係止部とを有し、
前記第２保持用金具は、前記被取付面上に固定される基板と、この基板から前記被取付面と反対の側にそれぞれ突出し、前記被取付面から離れる向きへの前記化粧材の移動を阻むように前記各外側突条の内側面と係合することが可能な形状を有し、かつ、前記化粧材本体の幅方向に変位するように撓み変形可能な外側係止部と、前記基板から前記被取付面と反対の側に突出し、前記被取付面から離れる向きへの前記化粧材の移動を阻むように前記中間突条の両側面のうち前記第１側面と反対側の第２側面と係合することが可能な形状を有し、かつ、前記化粧材本体の幅方向に変位するように撓み変形可能な第２中間係止部とを有することを特徴とする化粧材ユニット。
【請求項２】
請求項１記載の化粧材ユニットにおいて、
前記化粧材は幅方向について対称な断面形状を有し、前記第１保持用金具及び前記第２保持用金具は互いに同一の形状を有することを特徴とする化粧材ユニット。
【請求項３】
請求項１または２記載の化粧材ユニットにおいて、
前記第１保持用金具及び前記第２保持用金具をそれぞれ複数備え、当該第１保持用金具及び当該第２保持用金具が交互に配置されることを特徴とする化粧材ユニット。
【請求項４】
請求項１乃至３のいずれかに記載の化粧材ユニットにおいて、
上記外側突条の内側面および中間突条の両側面に、化粧材本体側よりも化粧材本体とは反対側を側方へ突出させた係止用段付部が形成され、
一方、上記第１保持用金具および第２保持用金具には、それぞれの外側係止部および中間係止部における各先端部分が上記係止用段付部に係止されるように折り返しされ、その折り返し部の先端が上記段付部に係止されることを特徴とする化粧材ユニット。
【請求項５】
請求項４に記載の化粧材ユニットにおいて、
上記各第１及び第２保持用金具の外側係止部の折り返し部は外側に折り返され、上記各第１及び第２保持用金具の基板は、前記両外側係止部から両外側にそれぞれ延出する延出部分を有し、これらの延出部分は、前記基板のうち前記両外側係止部同士の間の部分が前記被取付面に接する面に対して前記外側係止部の折り返し部に近づく側に傾斜するとともに、当該延出部分の先端が前記被取付面に近づく向きに撓み変位するように弾性変形可能であり、その弾性変形状態で前記折り返し部との間で前記外側突条を挟みこむ形状を有することを特徴とする化粧材ユニット。
【請求項６】
特定方向に延びる化粧材本体と、この化粧材本体の裏面からそれぞれ突出し、前記特定方向と直交する化粧材本体の幅方向に間隔をおいて並び、かつ当該特定方向に沿って延びる一対の外側突条と、これらの外側突条同士の間の位置で前記化粧材本体の裏面から突出し、前記特定方向に沿って延びる中間突条とを有する化粧材を、被取付面に、前記被取付面上の複数の位置にそれぞれ固定した複数の保持用金具を介して取付ける化粧材ユニットの取付方法であって、
前記複数の保持用金具には、
前記被取付面上に固定される基板、この基板から前記被取付面と反対の側にそれぞれ突出し、前記被取付面から離れる向きへの前記化粧材の移動を阻むように前記各外側突条の内側面と係合することが可能な形状を有し、かつ、前記化粧材本体の幅方向に変位するように撓み変形可能な外側係止部、および、前記基板から前記被取付面と反対の側に突出し、前記被取付面から離れる向きへの前記化粧材の移動を阻むように前記中間突条の両側面のうちの一方の第１側面と係合することが可能な形状を有し、かつ、前記化粧材本体の幅方向に変位するように撓み変形可能な第１中間係止部を有する第１保持用金具と、
前記被取付面上に固定される基板、この基板から前記被取付面と反対の側にそれぞれ突出し、前記被取付面から離れる向きへの前記化粧材の移動を阻むように前記各外側突条の内側面と係合することが可能な形状を有し、かつ、前記化粧材本体の幅方向に変位するように撓み変形可能な外側係止部、および、前記基板から前記被取付面と反対の側に突出し、前記被取付面から離れる向きへの前記化粧材の移動を阻むように前記中間突条の両側面のうち前記第１側面と反対側の第２側面と係合することが可能な形状を有し、かつ、前記化粧材本体の幅方向に変位するように撓み変形可能な第２中間係止部を有する第２保持用金具と、を用い、
前記被取付面の複数の位置に上記第１保持用金具および第２保持用金具の双方を含む複数の保持用金具を配置して当該被取付面上に固定する工程と、
固定された第１保持用金具および第２保持用金具に対し、前記化粧材を、前記外側突条および中間突条が前記被取付面を向く状態で接近させ、前記化粧材の前記外側突条が前記第１保持用金具および第２保持用金具の前記外側係止部に係止され、かつ、前記化粧材の前記中間突条の前記第１側面に前記第１保持用金具の第１中間係止部が係止されるとともに前記化粧材の前記中間突条の前記第２側面に前記第２保持用金具の第２中間係止部が係止される状態に取付ける工程とを含むことを特徴とする化粧材ユニットの取付方法。
【請求項７】
請求項６に記載の化粧材ユニットの取付方法において、
前記幅方向について対称な断面形状を有する化粧材に対し、前記第１保持用金具及び前記第２保持用金具として互いに同一の形状を有する保持用金具を用意し、その保持用金具を前記第１保持用金具として用いるとともに、前記保持用金具の外側係止部の一方と他方とが互いに入れ替わるように逆向きにして前記保持用金具を前記第２保持用金具として用いることを特徴とする化粧材ユニットの取付方法。
【請求項８】
請求項６または７に記載の化粧材ユニットの取付方法において、
前記第１保持用金具及び前記第２保持用金具をそれぞれ複数用意し、当該第１保持用金具及び当該第２保持用金具を交互に配置することを特徴とする化粧材ユニットの取付方法。
【発明の詳細な説明】
【技術分野】
【０００１】
本発明は、例えば建物の壁面等の被取付面に保持用金具により化粧材を取付ける化粧材ユニットおよびその取付方法に関する。
【背景技術】
【０００２】
上述した化粧材としては、一般に一定断面で長尺のものが用いられ、そのような化粧材を使用した化粧材ユニットとしては、被取付面に保持用金具を取付け、その取付けた金具に化粧材を固定する構造とされる（例えば特許文献１参照）。
【０００３】
その化粧材ユニットは、図１３に示すように、被取付面に取付けられる取付面１０２の上に２つの突起１０３、１０４が並設され、各突起１０３（１０４）の外側を一部残して切断し取付面１０２側を外方へ起こした係止爪１０５（１０６）が設けられた保持用金具１０１と、被取付面に向けて配設される３つの突条１１１、１１２、１１３が並設され、外側２つの突条１１１、１１３における内側壁部にそれぞれ被係止部１１４、１１５が形成された化粧材１１０とを用い、被取付面１００に金具１０１をビス等で取付け、その金具１０１の２つの係止爪１０５、１０６に、化粧材１１０の被係止部１１４、１１５を係止させ、被係止部１１４、１１５を係止爪１０５、１０６で抜け止めする構造である。なお、化粧材１１０の３つの突条１１１、１１２、１１３は、化粧材１１０の幅方向に並び、かつ化粧材１１０の長手方向に沿って延在するように設けられている。
【０００４】
この化粧材ユニットによる場合には、２つの係止爪１０５、１０６の片方が破損したとき、この金具１０１では化粧材１１０を支持することができず、化粧材１１０が外れ易くなる。
【０００５】
そこで、化粧材を外れ難くすることが可能な構造の保持用金具を用いた化粧材ユニットが提案されている（例えば、特許文献２参照）。
【０００６】
その化粧材ユニットは、図１４に示すように、化粧材１１０の外側２つの突条１１１、１１３を抜け止めするための係止爪１０５、１０６に加えて、中間の突条１１２を挟持する挟持片１０７、１０８を備えた金具１０１Ａを用いている。なお、図１４において、図１３と同一の働きを行う部分には同一符号を附している。
【先行技術文献】
【特許文献】
【０００７】
【特許文献１】特開２０００−３３６８９３号公報
【特許文献２】特開２００１−３３６２６８号公報
【発明の概要】
【発明が解決しようとする課題】
【０００８】
ところで、図１４に示す化粧材ユニットの場合には、１つの保持用金具１０１Ａに形成された一対の挟持片１０７、１０８の間に化粧材１１０の中間の突条１１２を圧入する構造であるので、挟持片１０７、１０８における先端側の間隔は広くすることが望まれる。その一方、突条１１２を挟持する上で挟持片１０７、１０８の前記間隔は狭い方が好ましいので、化粧材の曲がり等によって突条１１２の位置や形状に誤差が僅かに存在するときには、前記圧入が困難となって化粧材の取付けができなくなる虞があった。なお、前記間隔が狭いときでも前記圧入を容易にすべく、両挟持片１０７、１０８の先端側に外側に折り曲げた傾斜部を設けて先拡がりにすることが考えられるが、その傾斜角度が大き過ぎると突条１１２の圧入が困難になるので、前記間隔を広くすることは実質的に難しい。
【０００９】
本発明は、このような従来技術の課題を解決するものであって、化粧材の取付け性と化粧材の外れ難さとを両立させ得る化粧材ユニットおよびその取付方法を提供することを目的とする。
【課題を解決するための手段】
【００１０】
本発明に係る化粧材ユニットは、被取付面に沿って取付けられる化粧材と、前記被取付面上の複数の位置にそれぞれ固定され、前記化粧材を保持する複数の保持用金具とを備える化粧材ユニットであって、上記化粧材は、特定方向に延びる化粧材本体と、この化粧材本体の裏面からそれぞれ突出し、前記特定方向と直交する化粧材本体の幅方向に間隔をおいて並び、かつ当該特定方向に沿って延びる一対の外側突条と、これらの外側突条同士の間の位置で前記化粧材本体の裏面から突出し、前記特定方向に沿って延びる中間突条とを有し、前記複数の保持用金具は、第１保持用金具と第２保持用金具とを含み、前記特定方向に並ぶ複数の位置にそれぞれ配設されるものであり、前記第１保持用金具は、前記被取付面上に固定される基板と、この基板から前記被取付面と反対の側にそれぞれ突出し、前記被取付面から離れる向きへの前記化粧材の移動を阻むように前記各外側突条の内側面と係合することが可能な形状を有し、かつ、前記化粧材本体の幅方向に変位するように撓み変形可能な外側係止部と、前記基板から前記被取付面と反対の側に突出し、前記被取付面から離れる向きへの前記化粧材の移動を阻むように前記中間突条の両側面のうちの一方の第１側面と係合することが可能な形状を有し、かつ、前記化粧材本体の幅方向に変位するように撓み変形可能な第１中間係止部とを有し、前記第２保持用金具は、前記被取付面上に固定される基板と、この基板から前記被取付面と反対の側にそれぞれ突出し、前記被取付面から離れる向きへの前記化粧材の移動を阻むように前記各外側突条の内側面と係合することが可能な形状を有し、かつ、前記化粧材本体の幅方向に変位するように撓み変形可能な外側係止部と、前記基板から前記被取付面と反対の側に突出し、前記被取付面から離れる向きへの前記化粧材の移動を阻むように前記中間突条の両側面のうち前記第１側面と反対側の第２側面と係合することが可能な形状を有し、かつ、前記化粧材本体の幅方向に変位するように撓み変形可能な第２中間係止部とを有することを特徴とする。
【００１１】
本発明による場合には、第１保持用金具の外側係止部と第１中間係止部とが、化粧材本体の幅方向に変位するように撓み変形が可能であり、これら係止部がそれぞれ別の突条に係合する構成であるので、従来のように共通の金具に設けられた一対の挟持片の間に突条を圧入する場合に比べて、化粧材と金具との間の相対位置関係の自由度が高い。従って、各係止部と各突条との間で化粧材本体の幅方向の相対的な位置が精密には一致しない場合でも、第１保持用金具の各係止部の撓み変形を利用して各係止部と各突条とを係止できる。このことは、第１保持用金具の第１中間係止部が係止される中間突条の第１側面とは反対側の第２側面に第２中間係止部が係止される第２保持用金具においても同様であるので、これにより化粧材を容易に取付けすることが可能になる。一方、第１保持用金具の第１中間係止部が中間突条の第１側面に係止され、第２保持用金具の第２中間係止部が中間突条の第１側面とは反対側の第２側面に係止され、中間突条が第１中間係止部と第２中間係止部とにより両側から係止されるので、一旦取付けた化粧材が外れ難い。よって、化粧材の取付け性と化粧材の外れ難さとを両立させ得る。
【００１２】
この構成の化粧材ユニットにおいて、前記化粧材は幅方向について対称な断面形状を有し、前記第１保持用金具及び前記第２保持用金具は互いに同一の形状を有することが、より好ましい。この場合には、単一種の金具における外側係止部の一方と他方とが入れ替わるように逆向きにすることで、当該金具を第１保持用金具及び第２保持用金具のいずれとしても用いることが可能になる。
【００１３】
また、この構成の化粧材ユニットにおいて、前記第１保持用金具及び前記第２保持用金具をそれぞれ複数備え、当該第１保持用金具及び当該第２保持用金具が交互に配置されることが、より好ましい。この場合には、隣り合う第１保持用金具及び第２保持用金具における各中間係止部が、中間突条の両側の片方ずつと交互に係止することになるので、第１保持用金具同士または第２保持用金具同士を連続して配置するときよりも、同じ個数の保持用金具を用いても、化粧材をより外れ難くすることが可能になる。
【００１４】
更に、この構成の化粧材ユニットにおいて、各金具が化粧材を係止するための具体的な形状については、例えば上記外側突条の内側面および中間突条の両側面に、化粧材本体側よりも化粧材本体とは反対側を側方へ突出させた係止用段付部が形成され、一方、上記第１保持用金具および第２保持用金具には、それぞれの外側係止部および中間係止部における各先端部分が上記係止用段付部に係止されるように折り返しされ、その折り返し部の先端が上記段付部に係止されたものが、好適である。この場合には、第１保持用金具および第２保持用金具の先端部分に形成された折り返し部が、折り返されていて、化粧材の突条に設けた段付部に係止されているので、折り返し部は被取付面との間で化粧材を支持することが可能になる。
【００１５】
更にまた、この構成の化粧材ユニットにおいて、上記各第１及び第２保持用金具の外側係止部の折り返し部は外側に折り返され、上記各第１及び第２保持用金具の基板は、前記両外側係止部から両外側にそれぞれ延出する延出部分を有し、これらの延出部分は、前記基板のうち前記両外側係止部同士の間の部分が前記被取付面に接する面に対して前記外側係止部の折り返し部に近づく側に傾斜するとともに、当該延出部分の先端が前記被取付面に近づく向きに撓み変位するように弾性変形可能であり、その弾性変形状態で前記折り返し部との間で前記外側突条を挟みこむ形状を有するようにすることが、好適である。この場合には、第１及び第２保持用金具は、前記延出部分の弾発力を利用して当該延出部分と外側係止部の折り返し部との間で前記外側突条を挟みこむことにより、化粧材をより安定して保持することができる。すなわち、前記延出部分が存在しない場合には、前記外側係止部の折り返し部が前記外側突条の段付部に当接した状態で当該外側突条と被取付面との間に存在する隙間分だけ化粧材が前記被取付面に対して接離する方向にがたつくおそれがあるが、前記のように延出部分が前記折り返し部との間で前記外側突条を挟持することにより、前記接離する方向への化粧材のガタツキが抑えられる。
【００１６】
本発明の化粧材ユニットの取付方法は、特定方向に延びる化粧材本体と、この化粧材本体の裏面からそれぞれ突出し、前記特定方向と直交する化粧材本体の幅方向に間隔をおいて並び、かつ当該特定方向に沿って延びる一対の外側突条と、これらの外側突条同士の間の位置で前記化粧材本体の裏面から突出し、前記特定方向に沿って延びる中間突条とを有する化粧材を、被取付面に、前記被取付面上の複数の位置にそれぞれ固定した複数の保持用金具を介して取付ける化粧材ユニットの取付方法であって、前記複数の保持用金具には、前記被取付面上に固定される基板、この基板から前記被取付面と反対の側にそれぞれ突出し、前記被取付面から離れる向きへの前記化粧材の移動を阻むように前記各外側突条の内側面と係合することが可能な形状を有し、かつ、前記化粧材本体の幅方向に変位するように撓み変形可能な外側係止部、および、前記基板から前記被取付面と反対の側に突出し、前記被取付面から離れる向きへの前記化粧材の移動を阻むように前記中間突条の両側面のうちの一方の第１側面と係合することが可能な形状を有し、かつ、前記化粧材本体の幅方向に変位するように撓み変形可能な第１中間係止部を有する第１保持用金具と、前記被取付面上に固定される基板、この基板から前記被取付面と反対の側にそれぞれ突出し、前記被取付面から離れる向きへの前記化粧材の移動を阻むように前記各外側突条の内側面と係合することが可能な形状を有し、かつ、前記化粧材本体の幅方向に変位するように撓み変形可能な外側係止部、および、前記基板から前記被取付面と反対の側に突出し、前記被取付面から離れる向きへの前記化粧材の移動を阻むように前記中間突条の両側面のうち前記第１側面と反対側の第２側面と係合することが可能な形状を有し、かつ、前記化粧材本体の幅方向に変位するように撓み変形可能な第２中間係止部を有する第２保持用金具と、を用い、前記被取付面の複数の位置に上記第１保持用金具および第２保持用金具の双方を含む複数の保持用金具を配置して当該被取付面上に固定する工程と、固定された第１保持用金具および第２保持用金具に対し、前記化粧材を、前記外側突条および中間突条が前記被取付面を向く状態で接近させ、前記化粧材の前記外側突条が前記第１保持用金具および第２保持用金具の前記外側係止部に係止され、かつ、前記化粧材の前記中間突条の前記第１側面に前記第１保持用金具の第１中間係止部が係止されるとともに前記化粧材の前記中間突条の前記第２側面に前記第２保持用金具の第２中間係止部が係止される状態に取付ける工程とを含む。本発明方法による場合には、本発明の請求項１に係る化粧材ユニットと同様の効果が得られる。
【００１７】
また、本発明の化粧材ユニットの取付方法において、前記幅方向について対称な断面形状を有する化粧材に対し、前記第１保持用金具及び前記第２保持用金具として互いに同一の形状を有する保持用金具を用意し、その保持用金具を前記第１保持用金具として用いるとともに、前記保持用金具の外側係止部の一方と他方とが互いに入れ替わるように逆向きにして前記保持用金具を前記第２保持用金具として用いることが好ましい。この場合には、第１保持用金具と第２保持用金具とのそれぞれについて用意をする必要が無くなり、準備や在庫管理などを簡潔にすることが可能になる。
【００１８】
更に、本発明の化粧材ユニットの取付方法において、前記第１保持用金具及び前記第２保持用金具をそれぞれ複数用意し、当該第１保持用金具及び当該第２保持用金具を交互に配置することが好ましい。この場合には、隣り合う第１保持用金具及び第２保持用金具における各中間係止部が、中間突条の両側の片方ずつと交互に係止することになるので、第１保持用金具同士または第２保持用金具同士を連続して配置するときよりも、同じ個数の保持用金具を用いても、化粧材をより外れ難くすることが可能になる。
【発明の効果】
【００１９】
本発明による場合には、被取付面に固定した金具に対する化粧材の取付け性と金具からの化粧材の外れ難さとを両立させることができる。
【図面の簡単な説明】
【００２０】
【図１】本発明の一実施形態に係る化粧材ユニットを示す外観斜視図である。
【図２】図１の化粧材ユニットを構成する化粧材を、被取付面に固定した保持用金具に取付ける前の状態を示す斜視図である。
【図３】第１保持用金具を介して化粧材を被取付面に取付けた状態を示す横断面図である。
【図４】第２保持用金具を介して化粧材を被取付面に取付けた状態を示す横断面図である。
【図５】第１保持用金具を示す平面図である。
【図６】第１保持用金具を示す正面図である。
【図７】第１保持用金具を示す右側面図である。
【図８】第１保持用金具を示す左側面図である。
【図９】第２保持用金具を示す平面図である。
【図１０】第２保持用金具を示す正面図である。
【図１１】第２保持用金具を示す右側面図である。
【図１２】第２保持用金具を示す左側面図である。
【図１３】特許文献１の化粧材ユニットを示す断面図である。
【図１４】特許文献２の化粧材ユニットを示す断面図である。
【発明を実施するための形態】
【００２１】
以下に、本発明の一実施形態を具体的に説明する。
【００２２】
図１は本発明の一実施形態に係る化粧材ユニットを示す外観斜視図であり、図２は図１の化粧材ユニットを構成する化粧材を、被取付面に固定した保持用金具に取付ける前の状態を示す斜視図、図３は第１保持用金具を介して化粧材を被取付面に取付けた状態を示す横断面図、図４は第２保持用金具を介して化粧材を被取付面に取付けた状態を示す横断面図、図５は第１保持用金具を示す平面図、図６は第１保持用金具を示す正面図、図７は第１保持用金具を示す右側面図、図８は第１保持用金具を示す左側面図である。
【００２３】
この化粧材ユニット１は、建物の壁面等の被取付面３に取付けられる化粧材１０と、化粧材１０を保持すべく被取付面３上の複数の位置にそれぞれ固定される複数の保持用金具２０とを備える。
【００２４】
化粧材１０は、例えば押し出し成形により形成されたセメント系材料からなる一体もので、図３に示すように化粧材本体１１と、一対の外側突条１３、１５と、中間突条１７とを有し、後述する幅方向Ｂにおいて対称な断面形状に形成されている。化粧材１０の材料は、セメント系に限らず、他の材料、例えば合成樹脂などであってもよい。
【００２５】
化粧材本体１１は、特定方向（図示例では上下方向）Ａに延びる長尺のもので、水平断面が内部に２つの空洞１１ａを有する矩形状に形成されている。２つの空洞１１ａは、特定方向Ａと直交する化粧材本体１１の幅方向Ｂに設けられている。
【００２６】
外側突条１３、１５は、化粧材本体１１の裏面から前記幅方向Ｂと直交する方向Ｄへ突出し、幅方向Ｂに間隔をおいて並び、かつ、特定方向Ａに沿って延びている。外側突条１３、１５の化粧材本体１１に対する配設位置は、化粧材本体１１の幅方向Ｂの両端部である。中間突条１７は、これらの外側突条１３、１５の間の位置に設けられ、化粧材本体１１の裏面から前記方向Ｄへ突出し、特定方向Ａに沿って延びている。なお、本実施形態では、中間突条１７は、外側突条１３、１５の中央の位置に配置されていて、化粧材１０は幅方向Ｂにおいて対称に形成されている。
【００２７】
外側突条１３、１５の方向Ｄ側の被取付面側端部１３ｃ、１５ｃと、中間突条１７の方向Ｄ側の被取付面側端部１７ｈとは、化粧材１０の取付けに際して、前記被取付面３に接近するように配置される。
【００２８】
外側突条１３、１５の外側側面１３ｂ、１５ｂと、化粧材本体１１の外側表面１１ｂとは、化粧面として機能し、これらの化粧面には意匠が施される。
【００２９】
外側突条１３、１５の内側側面には段付部１３ａ、１５ａが設けられており、これら段付部１３ａ、１５ａは、各段付部１３ａ、１５ａに対して化粧材本体１１側に隣接する部分よりも中間突条１７側に突出するように形成されている。また、中間突条１７の両側側面１７ｃ、１７ｄにはそれぞれ段付部１７ａ、１７ｂが設けられ、段付部１７ａは、その段付部１７ａに対して化粧材本体１１側に隣接する部分よりも外側突条１３側に突出するように形成され、段付部１７ｂは、その段付部１７ｂに対して化粧材本体１１側に隣接する部分よりも外側突条１５側に突出するように形成されている。
【００３０】
また、上記段付部１３ａ、１５ａの被取付面側端部１３ｃ、１５ｃ側には、それぞれ面取り部１３ｄ、１５ｄが設けられており、これら面取り部１３ｄ、１５ｄは、被取付面側端部１３ｃ、１５ｃに近づくほど大きく欠落する状態で形成され、傾斜している。一方、段付部１７ａ、１７ｂの被取付面側端部１７ｈ側には、それぞれ面取り部１７ｅ、１７ｆが設けられており、これら面取り部１７ｅ、１７ｆは、被取付面側端部１７ｈに近づくほど大きく欠落する状態で形成され、傾斜している。
【００３１】
保持用金具２０は、図２に示すように第１保持用金具２０Ａと第２保持用金具２０Ｂとを有し、特定方向Ａに並ぶ複数位置、図示例では４つの位置にそれぞれ配設されている。一番下の位置と下から３番目の位置には、それぞれ第１保持用金具２０Ａが配設され、下から２番目と一番上の位置には、それぞれ第２保持用金具２０Ｂが配設されている。
【００３２】
第１保持用金具２０Ａは、例えばステンレス鋼やアルミニウム製のものであり、図３および図５〜図８に示すように、被取付面３の上に固定される平板状の基板２１と、この基板２１から被取付面３と反対側の方向Ｃにそれぞれ突出するように切り起こされた一対の外側係止部２３、２５および１つの第１中間係止部２７Ａとを有する。
【００３３】
外側係止部２３、２５は互いに離隔して配設され、これら両外側係止部２３、２５の間に第１中間係止部２７Ａが配設されている。
【００３４】
外側係止部２３、２５は、それぞれ基板２１に垂直な起立部２３ａ、２５ａと、各起立部２３ａ、２５ａに基端側が繋がっていて先端側が折り返された折り返し部２３ｂ、２５ｂとを有する。これら折り返し部２３ｂ、２５ｂは互いに反対側の外側に折り返されて形成され、折り返し部２３ｂの先端は上記段付部１３ａに当接し、上記折り返し部２５ｂの先端は上記段付部１５ａに当接するものである。換言すると、外側係止部２３、２５は、その突出方向Ｃの先端部分である折り返し部２３ｂ、２５ｂが、被取付面３から離れる向きへの化粧材１０の移動を阻むように各外側突条１３、１５の内側面と係合することが可能な形状を有し、かつ、当該先端部分が化粧材本体１１の幅方向Ｂに変位するように撓み変形可能となっている。
【００３５】
一方、第１中間係止部２７Ａは、基板２１に垂直な起立部２７ａと、起立部２７ａに基端側が繋がっていて先端側が折り返された折り返し部２７ｂとを有し、その折り返し部２７ｂは、図３に示すように、左側の外側係止部２３に近い部位に配設され、右側の外側係止部２５の折り返し部２５ｂと同じ側に折り返して形成されており、折り返し部２７ｂは上記段付部１７ａに係止されるようになっている。換言すると、第１中間係止部２７Ａは、その突出方向Ｃの先端部分である折り返し部２７ｂが、被取付面３から離れる向きへの化粧材１０の移動を阻むように中間突条１７の両側面のうちの一方（図３の左方）の第１側面１７ｃと係合することが可能な形状を有し、かつ、当該先端部分が化粧材本体１１の幅方向Ｂに変位するように撓み変形可能となっている。
【００３６】
なお、折り返し部２３ｂ〜２７ｂの折り返し角度、つまり折り返し部２３ｂ〜２７ｂと起立部２３ａ〜２７ａとの間の角度は、例えば４０°程度に設定されている。なお、前記角度は、他の角度に設定してもよい。
【００３７】
また、基板２１には、外側係止部２３、２５よりも外側に延出した延出部分２９、３１が設けられている。延出部分２９は、図５に示すように外側係止部２３を挟んで両側に一対形成され、延出部分３１も同様に、外側係止部２５を挟んで両側に一対形成されている。これら延出部分２９、３１は、先端２９ａ、３１ａの側が被取付面３から離れるように折り曲げられていて、この基板２１を被取付面３にビス５により取付けた状態で、延出部分２９、３１が被取付面３から浮いた状態になる（図３参照）。
【００３８】
第２保持用金具２０Ｂは、第１保持用金具２０Ａと同一の材料で形成されている。但し、異なる材料で形成してもよい。第２保持用金具２０Ｂの構成としては、図４および図９〜図１２に示すように、第１保持用金具２０Ａと一部異なっていて、第１中間係止部２７Ａに代えて、中間突条１７の第１側面１７ｃとは反対側の第２側面１７ｄに係合する第２中間係止部２７Ｂを有し、他の部分は第１保持用金具２０Ａと同様となっている。
【００３９】
上記第２中間係止部２７Ｂは、基板２１に垂直な起立部２７ａと、その起立部２７ａに基端側が繋がっていて先端側が折り返された折り返し部２７ｂとを有する。その折り返し部２７ｂは、図４に示すように、右側の外側係止部２５に近い部位に配設され、左側の外側係止部２３の折り返し部２３ｂと同じ側に折り返して形成されており、上記段付部１７ｂに係止されるようになっている。
【００４０】
なお、本実施形態では、上述したように化粧材１０が幅方向Ｂにおいて対称な断面形状に形成されているので、第２保持用金具２０Ｂには、第１保持用金具２０Ａを、その外側係止部２３、２５の一方２３と他方２５とが入れ替わるように逆向きにして用いることができる。図２に示す例では、第２保持用金具２０Ｂとして用いるには、第１保持用金具２０Ａを上下（または左右）逆向きにすればよい。
【００４１】
次に、本実施形態の化粧材ユニット１の取付方法につき説明する。
【００４２】
まず、被取付面３の特定方向Ａの４つの位置にそれぞれ固定する保持用金具２０を用意する。この図示例では、第１保持用金具２０Ａと第２保持用金具２０Ｂとをそれぞれ２つずつ用意する。
【００４３】
次に、用意した第１保持用金具２０Ａおよび第２保持用金具２０Ｂをそれぞれ被取付面３に固定する。具体的には、一番下の位置と下から３番目の位置に、それぞれ第１保持用金具２０Ａを配設し、下から２番目と一番上の位置に、それぞれ第２保持用金具２０Ｂを配設する。このとき、第１保持用金具２０Ａおよび第２保持用金具２０Ｂの各基板２１が被取付面３と接触し、各係止部２３、２５、２７Ａ（２７Ｂ）が被取付面３とは逆方向を向くように固定する。なお、第２保持用金具２０Ｂは、第１保持用金具２０Ａを上下逆向きにした同一形状のものである。第１保持用金具２０Ａ及び第２保持用金具２０Ｂの固定は、ビス５により行われる（図３及び図４参照）。
【００４４】
次に、これら第１保持用金具２０Ａ及び第２保持用金具２０Ｂに対し、化粧材１０を接近させることにより取付ける。この取付けは、化粧材１０の各突条１３、１５、１７を被取付面３に向けた状態で接近させることで行われ、この取付けにより、各係止部２３、２５、２７Ａの折り返し部２３ｂ、２５ｂ、２７ｂが、各突条１３、１５、１７の段付部１３ａ、１５ａ、１７ａに同時的に係止される。
【００４５】
この取付けのとき、各係止部２３、２５、２７Ａの折り返し部２３ｂ、２５ｂ、２７ｂと、各突条１３、１５、１７の段付部１３ａ、１５ａ、１７ａとの間で、幅方向Ｂの相対的な位置が一致しない場合には、第１保持用金具２０Ａの外側係止部２３、２５と第１中間係止部２７Ａとが、化粧材本体１１の幅方向Ｂに変位するように撓み変形が可能であり、これら係止部２３、２５、２７がそれぞれ別の突条１３、１５、１７に係合する構成であるので、例えば化粧材１０を幅方向Ｂへ揺さぶることで、第１保持用金具２０Ａの各係止部２３、２５、２７Ａの撓み変形を利用して各係止部２３、２５、２７Ａの折り返し部２３ｂ、２５ｂ、２７ｂと各突条１３、１５、１７の段付部１３ａ、１５ａ、１７ａとを係止できる。このことは、第１保持用金具２０Ａの第１中間係止部１７が係止される中間突条１７の第１側面１７ｃとは反対側の第２側面１７ｄに第２中間係止部２７Ｂが係止される第２保持用金具２０Ｂにおいても同様であるので、これにより化粧材１０を容易に取付けすることが可能になる。この取付け状態において、折り返し部２３ｂ、２５ｂ、２７ｂと被取付面３との間で、化粧材１０が支持される。
【００４６】
また、このような取付けに際し、上記面取り部１３ｄ、１５ｄに沿って折り返し部２３ｂ、２５ｂが案内され、かつ上記面取り部１７ｅまたは１７ｆに沿って折り返し部２７ｂが案内されるので、外側係止部２３、２５および第１、第２中間係止部２７Ａ、２７Ｂが徐々に撓み変形する。
【００４７】
そして、このように保持用金具２０に取付けられた化粧材１０は、第１保持用金具２０Ａの第１中間係止部２７Ａが中間突条１７の第１側面１７ｃに係止され、第２保持用金具２０Ｂの第２中間係止部２７Ｂが中間突条１７の第１側面１７ｃとは反対側の第２側面１７ｄに係止され、中間突条１７が第１中間係止部２７Ａと第２中間係止部２７Ｂとにより両側から係止されるので、一旦取付けた化粧材１０が外れ難い。
【００４８】
したがって、本実施形態の化粧材ユニット１においては、化粧材１０の取付け性と化粧材１０の外れ難さとを両立させ得る。
【００４９】
なお、本実施形態では、化粧材１０の下端よりも下側に、一番下の第１保持用金具２０Ａの下端部がはみ出して外部に露出し、また化粧材１０の上端よりも上側に、一番上の第２保持用金具２０Ｂの上端部がはみ出して外部に露出しているが、それははみ出した部分に、別の化粧材１０の端部を取付けるためである。よって、別の化粧材１０を取付ける必要がないときは、化粧材１０で隠れるように一番下の第１保持用金具２０Ａおよび一番上の第２保持用金具２０Ｂを取付けるようにしてもよい。
【００５０】
また、本実施形態の化粧材ユニット１にあっては、各第１及び第２保持用金具２０Ａ、２０Ｂの外側係止部２３、２５の折り返し部２３ｂ、２５ｂは外側に折り返され、各第１及び第２保持用金具２０Ａ、２０Ｂの基板２１は、両外側係止部２３、２５から両外側にそれぞれ延出する延出部分２９、３１を有し、これらの延出部分２９、３１は、基板２１のうち両外側係止部２３、２５同士の間の部分が被取付面３に接する面に対して外側係止部２３、２５の折り返し部２３ｂ、２５ｂに近づく側に傾斜するとともに、当該延出部分２９、３１の先端２９ａ、３１ａが前記被取付面３に近づく向きに撓み変位するように弾性変形可能であり、その弾性変形状態で前記折り返し部２３ｂ、２５ｂとの間で前記外側突条１３、１５を挟みこむ形状を有する。よって、これにより、第１及び第２保持用金具２０Ａ、２０Ｂは、延出部分２９、３１の弾発力を利用して当該延出部分２９、３１と外側係止部２３、２５の折り返し部２３ｂ、２５ｂとの間で前記外側突条１３、１５を挟みこむことにより、化粧材１０をより安定して保持することができる。すなわち、前記延出部分２９、３１が存在しない場合には、前記外側係止部２３、２５の折り返し部２３ｂ、２５ｂが前記外側突条１３、１５の段付部１３ａ、１５ａに当接した状態で当該外側突条１３、１５と被取付面３との間に存在する隙間分だけ化粧材１０が前記被取付面３に対して接離する方向にがたつくおそれがあるが、前記のように延出部分２９、３１が前記折り返し部２３ｂ、２５ｂとの間で前記外側突条１３、１５を挟持することにより、前記接離する方向への化粧材１０のガタツキを抑えることができる。
【００５１】
更に、本実施形態の化粧材ユニット１においては、化粧材１０における外側突条１３、１５と被取付面３との間には、シーリング材３３が設けられている。これにより、化粧材１０と被取付面３との間は、シーリング材３３により隙間が無い状態とされ、防水性に優れる。
【００５２】
更にまた、化粧材１０の中間突条１７と被取付面３との間は、接着剤３５により接着されている。これにより、第１保持用金具２０Ａの第１中間係止部２７Ａと化粧材１０の中間突条１７との間での係止状態、および第２保持用金具２０Ｂの第２中間係止部２７Ｂと化粧材１０の中間突条１７との間での係止状態を安定化させ得る。
【００５３】
なお、上述した実施形態では化粧材１０として幅方向Ｂにおいて対称な断面形状に形成されたものを用いているが、本発明はこれに限らず、例えば幅方向Ｂにおいて非対称な断面形状に形成された化粧材に対しても適用できる。より詳細には、中間突条から片方の外側突条までの離隔距離と、中間突条からもう片方の外側突条までの離隔距離とが異なる化粧材に対しても適用できる。但し、その場合には、第１保持用金具２０Ａおよび第２保持用金具２０Ｂには、それぞれ上記離隔距離に応じた間隔で外側係止部および第１中間係止部（または第２中間係止部）を配設した、異なる構成の第１保持用金具と第２保持用金具とを用いる必要がある。
【００５４】
また、上述した実施形態では第１保持用金具２０Ａ及び第２保持用金具２０Ｂを特定方向Ａにおいて交互に配置しているが、本発明はこれに限らない。例えば、第１保持用金具２０Ａまたは第２保持用金具２０Ｂが連続するように配設してもよい。例えば、一番下と下から２番目の位置に第１保持用金具２０Ａを用い、下から３番目と一番上の位置に第２保持用金具２０Ｂを用いるようにしてもよい。また、保持用金具２０で化粧材１０を固定する位置の数は４つに限らず、３以下或いは５以上としてもよい。
【００５５】
更にまた、上述した実施形態では中間突条１７の片方に外側突条１３が設けられ、また中間突条１７のもう片方に外側突条１５が設けられた化粧材１０に適用しているが、本発明はこれに限らない。例えば、中間突条１７から片方の外側突条１３までの間に、別の１または２以上の突条が形成され、或いは、中間突条１７からもう片方の外側突条１５までの間に、別の１または２以上の突条が形成された構成の化粧材などにも適用することができる。当然のことではあるが、中間突条及び外側突条以外の他の突条が外側係止部や第１、第２中間係止部の係止に支障を及ぼさないものに限る。
【００５６】
更にまた、上述した実施形態では上下方向に長手方向を一致させて化粧材１０を取付けているが、本発明はこれに限らない。例えば、水平方向に長手方向を一致させて化粧材１０を取付けたり、斜め方向に長手方向を一致させて化粧材１０を取付けたりする場合にも同様に適用し得る。
【符号の説明】
【００５７】
Ａ    特定方向（上下方向）
Ｂ    幅方向
Ｃ    突出方向
１    化粧材ユニット
３    被取付面
１０    化粧材
１１    化粧材本体
１３、１５    外側突条
１３ａ、１５ａ    段付部
１３ｃ、１５ｃ、１７ｈ    被取付面側端部
１７    中間突条
１７ａ、１７ｂ    段付部
２０    保持用金具
２０Ａ    第１保持用金具
２０Ｂ    第２保持用金具
２１    基板
２３、２５    外側係止部
２７Ａ    第１中間係止部
２７Ｂ    第２中間係止部
２３ｂ、２５ｂ、２７ｂ    折り返し部（先端部分）
２９、３１    延出部分
２９ａ、３１ａ    先端
３３    シーリング材
３５    接着剤
【図１】
0005367798.tif 000002
【図２】
0005367798.tif 000003
【図３】
0005367798.tif 000004
【図４】
0005367798.tif 000005
【図５】
0005367798.tif 000006
【図６】
0005367798.tif 000007
【図７】
0005367798.tif 000008
【図８】
0005367798.tif 000009
【図９】
0005367798.tif 000010
【図１０】
0005367798.tif 000011
【図１１】
0005367798.tif 000012
【図１２】
0005367798.tif 000013
【図１３】
0005367798.tif 000014
【図１４】
0005367798.tif 000015